(57)【要約】【課題】簡単に使用形態に形成できる男性用失禁パッドを提供する。【解決手段】アウター部材２の肌面側に吸収体１２が設けられた男性用失禁パッド１であって、アウター部材２は、長手方向ｙに折り畳まれることにより山折り４と谷折り５が形成されたプリーツ部３を有し、アウター部材２の肌面側に、プリーツ部３よりも長手方向ｙの外方に粘着部７が設けられ、アウター部材２と吸収体１２の間に、粘着部７に剥離可能に接合されて、アウター部材２の長手方向ｙの外方に延在する中間シート９が設けられている。【選択図】図１
2014090857.tif 000002
【特許請求の範囲】
【請求項１】
アウター部材の肌面側に吸収体が設けられた男性用失禁パッドであって、
前記アウター部材は、長手方向に折り畳まれることにより山折りと谷折りが形成されたプリーツ部を有し、
前記アウター部材の肌面側に、前記プリーツ部よりも長手方向の外方に粘着部が設けられ、
前記アウター部材と前記吸収体の間に、前記粘着部に剥離可能に接合され、前記アウター部材の長手方向の外方に延在する中間シートが設けられていることを特徴とする男性用失禁パッド。
【請求項２】
前記中間シートは、長手方向の内方端が前記アウター部材側に折り返されて折り返し部が形成され、前記折り返し部が前記粘着部に剥離可能に接合されている請求項１に記載の男性用失禁パッド。
【請求項３】
前記男性用失禁パッドは、肌面側が内側となるように長手方向に延びる第１折り目で折り返されている請求項１または２に記載の男性用失禁パッド。
【請求項４】
前記男性用失禁パッドは、さらに幅方向に延びる第２折り目で折り返されている請求項３に記載の男性用失禁パッド。
【請求項５】
前記アウター部材には、長手方向の両側に前記プリーツ部が設けられ、
前記中間シートとして、長手方向の一方側に第１中間シートが設けられ、他方側に第２中間シートが設けられ、
前記アウター部材の外面側に、前記第１中間シートと前記第２中間シートに重なって被覆シートが設けられ、前記被覆シートが前記第１中間シートと前記第２中間シートに接合され、
前記被覆シートが長手方向に分離可能に形成されている請求項３または４に記載の男性用失禁パッド。
【請求項６】
前記アウター部材には、長手方向の両側に前記プリーツ部が設けられ、
前記中間シートとして、長手方向の一方側に第１中間シートが設けられ、他方側に第２中間シートが設けられ、
前記アウター部材の外面側に、長手方向の一方側に第１被覆シートが設けられて、前記第１被覆シートが前記第１中間シートに接合され、長手方向の他方側に第２被覆シートが設けられて、前記第２被覆シートが前記第２中間シートに接合されている請求項３または４に記載の男性用失禁パッド。
【請求項７】
前記アウター部材には、前記第２折り目の両側に前記プリーツ部が設けられ、
前記中間シートとして、前記第２折り目の一方側に第１中間シートが設けられ、
前記アウター部材の外面側に、前記第２折り目の他方側に第２被覆シートが設けられ、
前記第１中間シートと前記第２被覆シートが互いに接合されている請求項４に記載の男性用失禁パッド。
【請求項８】
前記中間シートとして、前記第２折り目の他方側に第２中間シートがさらに設けられ、前記第２被覆シートが前記第２中間シートに接合されている請求項７に記載の男性用失禁パッド。
【請求項９】
前記吸収体は、長手方向の端縁近傍が前記第１折り目の両側で互いに接合されている請求項３〜８のいずれか一項に記載の男性用失禁パッド。
【請求項１０】
前記吸収体は、長手方向の端縁に切欠きが形成されている請求項１〜９のいずれか一項に記載の男性用失禁パッド。
【発明の詳細な説明】
【技術分野】
【０００１】
本発明は、男性器に宛がって用いられる男性用失禁パッドに関するものである。
【背景技術】
【０００２】
従来、男性器に宛がって用いられる男性用の失禁パッドが知られている。例えば特許文献１には、一の方向に沿って形成された少なくとも２本の折り曲げ線によって襞状に折り畳まれた男性用失禁パッドが開示され、この男性用失禁パッドは、使用時には折り畳み状態を解除して肌面側に凹状の空間が形成できるようになっている。さらに特許文献１には、当該男性用失禁パッドを包装袋に包装した男性用失禁パッド包装体も開示されている。
【先行技術文献】
【特許文献】
【０００３】
【特許文献１】特開２０１０−１７２６５０号公報
【発明の概要】
【発明が解決しようとする課題】
【０００４】
男性用失禁パッドはまだ広く普及しておらず、その使用方法は一般の人に周知されているものではない。特に、特許文献１に開示されるような使用前に折り畳まれている男性用失禁パッドでは、男性用失禁パッドの折り畳みをどのように展開すればよいか使用者が迷うことが想定される。本発明は前記事情に鑑みてなされたものであり、その目的は、簡単に使用形態に形成できる男性用失禁パッドを提供することにある。
【課題を解決するための手段】
【０００５】
前記課題を解決することができた本発明の男性用失禁パッドとは、アウター部材の肌面側に吸収体が設けられ、アウター部材は、長手方向に折り畳まれることにより山折りと谷折りが形成されたプリーツ部を有し、アウター部材の肌面側に、プリーツ部よりも長手方向の外方に粘着部が設けられ、アウター部材と吸収体の間に、粘着部に剥離可能に接合されて、アウター部材の長手方向の外方に延在する中間シートが設けられているところに特徴を有する。本発明の男性用失禁パッドは、中間シートを長手方向に引っ張ることによりアウター部材のプリーツ部が自然に展開され、アウター部材を簡単にカップ状に形成することができる。中間シートが剥離された粘着部は、アウター部材の肌面側に設けられた吸収体に接合することができ、アウター部材をカップ形状に保持することができる。
【０００６】
中間シートは、長手方向の内方端がアウター部材側に折り返されて折り返し部が形成され、折り返し部が粘着部に剥離可能に接合されていることが好ましい。中間シートが折り返し部で粘着部に剥離可能に接合されていれば、中間シートを長手方向に引っ張って粘着部から剥がす際に、中間シートと粘着部との間に剪断力でなく剥離力が働くようになり、中間シートを粘着部から剥がしやすくなる。
【０００７】
男性用失禁パッドは、使用前に折り畳んでおくことが好ましい。例えば、男性用失禁パッドは、肌面側が内側となるように長手方向に延びる第１折り目で折り返されていることが好ましく、このように男性用失禁パッドが折り返されていれば、中間シートを長手方向に引っ張ることにより、プリーツ部を展開させて、男性用失禁パッドを肌面側を内側にしたカップ形状に形成しやすくなる。
【０００８】
男性用失禁パッドは、肌面側が内側となるように長手方向に延びる第１折り目で折り返され、さらに幅方向に延びる第２折り目で折り返されていることも好ましい。このように男性用失禁パッドが折り返されていれば、男性用失禁パッドをコンパクトに折り畳むことができる。また、長手方向の両側に中間シートが設けられる場合などは、男性用失禁パッドを第２折り目で折り返すことにより両方の中間シートを同時に掴むことができ、プリーツ部を簡単に展開することができる。
【０００９】
男性用失禁パッドの外面側には被覆シートが設けられてもよい。この場合、男性用失禁パッドは、折り畳まれて、例えば次のように構成される。すなわち、アウター部材には長手方向の両側にプリーツ部が設けられ、中間シートとして、長手方向の一方側に第１中間シートが設けられ、他方側に第２中間シートが設けられ、アウター部材の外面側に、第１中間シートと第２中間シートに重なって被覆シートが設けられ、被覆シートが第１中間シートと第２中間シートに接合され、被覆シートが長手方向に分離可能に形成される。このように被覆シートを設けて男性用失禁パッドが折り畳まれることにより、男性用失禁パッドを被覆シートで包装することができ、持ち運びが容易になる。
【００１０】
アウター部材には長手方向の両側にプリーツ部が設けられ、中間シートとして、長手方向の一方側に第１中間シートが設けられ、他方側に第２中間シートが設けられ、アウター部材の外面側に、長手方向の一方側に第１被覆シートが設けられて第１被覆シートが第１中間シートに接合され、長手方向の他方側に第２被覆シートが設けられて第２被覆シートが第２中間シートに接合されてもよい。この場合、男性用失禁パッドが折り畳まれた状態で、アウター部材が露出する部分が形成される。従って、男性用失禁パッドから被覆シートや中間シートを取り外す際、アウター部材を直接手で掴むことができ、男性用失禁パッドを誤って手から落とすことが起こりにくくなる。
【００１１】
アウター部材には第２折り目の両側にプリーツ部が設けられ、中間シートとして第２折り目の一方側に第１中間シートが設けられ、アウター部材の外面側に第２折り目の他方側に第２被覆シートが設けられ、第１中間シートと第２被覆シートが互いに接合されていてもよい。この場合もまた、アウター部材が露出する部分が形成されることとなり、男性用失禁パッドから被覆シートや中間シートを取り外す際に、男性用失禁パッドを誤って手から落とすことが起こりにくくなる。また、中間シートとして第２折り目の他方側に第２中間シートがさらに設けられ、第２被覆シートが第２中間シートに接合されていてもよい。
【００１２】
吸収体は、長手方向の端縁近傍が第１折り目の両側で接合されていることが好ましい。このように吸収体が形成されていれば、男性用失禁パッドを使用する際、吸収体がカップ状（船底状）に形成されて、吸収体の男性器へのフィット性を高めやすくなる。
【００１３】
吸収体は、長手方向の端縁に切欠きが形成されていることが好ましい。吸収体の長手方向の端縁に切欠きが形成されていれば、吸収体をカップ状に形成しやすくなる。そのため、カップ状に形成されたアウター部材の肌側面に沿うように吸収体を形成することが容易となる。
【発明の効果】
【００１４】
本発明の男性用失禁パッドは、中間シートを長手方向に引っ張ることによりアウター部材のプリーツ部が自然に展開され、アウター部材を簡単にカップ状に形成することができる。中間シートが剥離された粘着部は、アウター部材の肌面側に設けられた吸収体に接合することができ、アウター部材をカップ形状に保持することができる。
【図面の簡単な説明】
【００１５】
【図１】本発明の男性用失禁パッドの一例を表し、男性用失禁パッドを外面側から見た平面図を表す。
【図２】図１に示した男性用失禁パッドを肌面側から見た平面図を表す。
【図３】図１に示した男性用失禁パッドのＡ−Ａ断面図を表す。
【図４】図１に示した男性用失禁パッドをカップ状に形成し、外面側から見た斜視図を表す。
【図５】図１および図２に示した男性用失禁パッドについて、長手方向に延びる第１折り目で折り返して２つ折りに折り畳む方法を表す。
【図６】図５に示した２つ折りに折り畳んだ男性用失禁パッドについて、中間シートを引っ張ってプリーツ部を展開する様子を表す。
【図７】図１および図２に示した男性用失禁パッドについて、長手方向に延びる第１折り目で折り返して、さらに幅方向に延びる第２折り目で折り返して、４つ折りに折り畳む方法を表す。
【図８】図７に示した４つ折りに折り畳んだ男性用失禁パッドについて、中間シートを引っ張ってプリーツ部を展開する様子を表す。
【図９】外面側に被覆シートが設けられて２つ折りに折り畳まれた男性用失禁パッドの例を表す。
【図１０】外面側に被覆シートが設けられて４つ折りに折り畳まれた男性用失禁パッドの例を表す。
【図１１】外面側に被覆シートが設けられて２つ折りに折り畳まれた男性用失禁パッドの他の例を表す。
【図１２】外面側に被覆シートが設けられて４つ折りに折り畳まれた男性用失禁パッドの他の例を表す。
【図１３】外面側に被覆シートが設けられて４つ折りに折り畳まれた男性用失禁パッドの他の例を表す。
【発明を実施するための形態】
【００１６】
本発明の男性用失禁パッドについて、図面を参照して説明する。なお本発明は、図面に示された実施態様に限定されるものではない。
【００１７】
図１〜図４には、本発明の男性用失禁パッドの一例を示す。図１は男性用失禁パッドを外面側から見た平面図を表し、図２は図１に示した男性用失禁パッドを肌面側から見た平面図を表し、図３は図１のＡ−Ａ断面図を表し、図４はカップ状に形成した男性用失禁パッドを外面側から見た斜視図を表す。なお、本発明の図面では、矢印ｘが幅方向、矢印ｙが長手方向を表し、矢印ｘ，ｙにより形成される面に対して垂直方向が厚み方向ｚを表す。
【００１８】
男性用失禁パッド１は、長手方向ｙと幅方向ｘを有する。男性用失禁パッド１は、男性用失禁パッドを着用する際、長手方向ｙを着用者の股間の前後方向（上下方向）に合わせ、幅方向ｘを着用者の左右方向に合わせて着用することが好ましい。
【００１９】
男性用失禁パッド１はまた、厚み方向ｚに対して、肌面側と外面側を有する。肌面側とは、男性用失禁パッドを着用する際に着用者の肌に向く側を意味し、外面側とは、着用者とは反対に向く側を意味する。
【００２０】
本発明の男性用失禁パッド１は、アウター部材２と、アウター部材２の肌面側に設けられた吸収体１２とを有する。男性用失禁パッド１を使用する際、吸収体１２は着用者の肌に面するように位置し、アウター部材２は着用者とは反対側すなわち外側に位置する。アウター部材２はプリーツ部３を有しており、アウター部材２と吸収体１２の間には、吸収体１２に剥離可能に接合された中間シート９が設けられている。
【００２１】
男性用失禁パッド１は、使用前は、図１や図２に示すようにアウター部材２が平面状に形成される。すなわち、アウター部材２のプリーツ部３が折り畳まれた状態に形成される。使用時には、中間シート９を長手方向ｙに引っ張ることにより、図４に示すようにアウター部材２のプリーツ部３が展開されて、アウター部材２がカップ状に形成される。男性用失禁パッド１を使用する際、中間シート９は長手方向ｙに引っ張られて男性用失禁パッド１から取り外される。男性用失禁パッド１はカップ状に形成することにより、カップ形状の内部に男性器を収容して使用する。なお、カップ形状とは一方側に膨らんだ形状を意味し、例えば、カップ形状の開口が同一平面に形成される必要はない。
【００２２】
アウター部材２は、長手方向ｙに折り畳まれることにより山折り４と谷折り５が形成されたプリーツ部３を有している。アウター部材２のプリーツ部３は、幅方向ｘの両端が固定されていることが好ましく、具体的には、アウター部材２は、幅方向ｘの両端で、山折り４を挟んだ両側および谷折り５を挟んだ両側が接合されていることが好ましい。このようにプリーツ部３が形成されていれば、プリーツ部３の折り畳みを展開すると、図４に示されるように、アウター部材２をカップ状に形成しやすくなる。プリーツ部３の幅方向ｘの両端は、接着剤、熱融着、超音波融着等の公知の接合手段により固定（接合）されればよい。
【００２３】
本発明において、山折り４と谷折り５はアウター部材２の外面側から見て定められるものとする。また本発明において、プリーツ部３とは、アウター部材２が平面状に形成された状態で、アウター部材２のうち、折り畳まれて重ねられた部分の山折り４から谷折り５に至る部分を意味する。
【００２４】
図１では、プリーツ部３が長手方向ｙの両側に２つずつ設けられている。各プリーツ部３は、アウター部材２が長手方向ｙに折り畳まれて形成される。この際、各プリーツ部３は、少なくとも１つずつ形成された山折り４と谷折り５で折られることにより形成される。
【００２５】
山折り４と谷折り５は、長手方向ｙに並んで配される限りその延在方向は特に限定されないが、好ましくは、山折り４と谷折り５は幅方向ｘに対し略平行に形成される。また、山折り４と谷折り５は互いに同じ数だけ形成されることが好ましく、山折り４と谷折り５がそれぞれ複数形成される場合は、山折り４と谷折り５は交互に形成されることが好ましい。
【００２６】
アウター部材２が、男性器を好適に収容できるようなカップ状に形成されるためには、図１に示すように、アウター部材２の長手方向ｙの両側に、プリーツ部３が各々設けられていることが好ましい。このようにプリーツ部３が設けられることにより、陰茎と陰嚢の両方を好適に収容しやすくなる。
【００２７】
各プリーツ部３は、長手方向ｙの中心側にまず山折り４が設けられるように形成されることが好ましい。具体的には、プリーツ部３を展開した状態で、各プリーツ部３には、長手方向ｙの中心側にまず山折り４が形成されることが好ましい。図１や図３では、長手方向ｙの中心側にまず山折り４が設けられ、次いで、長手方向ｙの外方に谷折り５が設けられている。このようにプリーツ部３が形成されていれば、男性用失禁パッド１を男性器を収容してパンツの内側に固定した際、パンツの外側から見てプリーツ部３の折り目が分かりにくくなり、男性用失禁パッド１を装着することの心理的負荷が低減する。
【００２８】
アウター部材２の肌面側には、プリーツ部３よりも長手方向ｙの外方に粘着部７が設けられている。具体的には、粘着部７は、プリーツ部３を展開した状態で、長手方向ｙの最も外方にある山折り４または谷折り５よりもさらに長手方向ｙの外方に設けられる。図１〜図３に示した男性用失禁パッド１では、粘着部７は、長手方向ｙの最も外方の谷折り５よりも長手方向ｙの外方に設けられればよい。
【００２９】
粘着部７には、男性用失禁パッド１の使用前、中間シート９が剥離可能に接合される。男性用失禁パッド１を使用する際は、中間シート９が粘着部７から剥離され、アウター部材２がカップ状に形成され、粘着部７にはアウター部材２の肌面側に設けられた吸収体１２が接合されることが好ましい。粘着部７に吸収体１２が接合されることにより、男性用失禁パッド１の使用時、アウター部材２がカップ形状を保持しやすくなる。粘着部７は、アウター部材２に粘着剤を塗布したり、粘着テープが貼り付けられることにより形成されればよい。
【００３０】
粘着部７は、アウター部材２の長手方向ｙの両側に設けてもよく、一方側のみに設けてもよい。好ましくは、粘着部７は、アウター部材２の長手方向ｙの両側に設けられる。
【００３１】
アウター部材２には、外面側にも粘着部が設けられることが好ましい。なお本発明において、アウター部材２の外面側に設けられる粘着部を、外側粘着部と称する。アウター部材２の外面側に外側粘着部が設けられていれば、男性用失禁パッド１を着用者のパンツの内側に好適に固定できるようになる。外側粘着部は、アウター部材２に粘着剤を塗布したり、粘着テープが貼り付けられることにより形成されればよい。好ましくは、外側粘着部はプリーツ部３よりも長手方向ｙの外方に設けられる。
【００３２】
外側粘着部は、アウター部材２の長手方向ｙの両側に設けてもよく、一方側のみに設けてもよい。好ましくは、外側粘着部は、アウター部材２の長手方向ｙの一方側のみに設けられる。このように外側粘着部を設けることにより、外側粘着部によって男性用失禁パッド１を着用者のパンツの内側に取り付けやすくなる。
【００３３】
アウター部材２の形状（プリーツ部３が折り畳まれた状態での形状）は特に限定されない。アウター部材２の形状は、図１や図２に示すように角の丸まった四角形の形状であってもよく、また円形、楕円形、任意の多角形（角の丸まった多角形を含む）等であってもよい。なお、図１や図２に示すように、アウター部材２が長手方向ｙの外方に向かって幅方向ｘの長さが漸減するように形成されていれば、男性用失禁パッド１が着用者の股間でコンパクトに収まりやすくなる。また、アウター部材２は幅方向ｘに（すなわち、長手方向ｙに延びる中心線に対し）線対称に形成されることが好ましく、さらに、アウター部材２は長手方向ｙに（すなわち、幅方向ｘに延びる中心線に対し）線対称に形成されることも好ましい。
【００３４】
アウター部材を構成する材料としては、不織布、織布、編布、プラスチックフィルム、およびこれらの積層体等を使用できる。アウター部材の材料として不織布、織布、編布等の布材料を用いる場合、布材料を構成する繊維としては、例えば、ポリオレフィン（例えば、ポリプロピレン、ポリエチレン）、ポリエステル（例えば、ＰＥＴ）、ポリアミド（例えば、ナイロン）等の合成繊維、レーヨン等の再生繊維、セルロース、コットン等の天然繊維を用いればよい。アウター部材の材料として不織布を用いる場合、不織布としては、スパンボンド不織布、エアスルー不織布、ポイントボンド不織布、メルトブロー不織布、エアレイド不織布、ＳＭＳ不織布等を用いればよい。アウター部材の材料としてプラスチックフィルムを用いる場合は、例えば、ポリオレフィン（例えば、ポリプロピレン、ポリエチレン）、ポリエステル（例えば、ＰＥＴ）、ポリアミド（例えば、ナイロン）等の合成樹脂を用いればよい。アウター部材は、親水性であっても液不透過性であってもよいが、液不透過性であることが好ましい。なお、液不透過性とは撥水性の意味も含まれる。
【００３５】
アウター部材は水解性であってもよい。水解性とは、水洗トイレ等で水に流した際に分散あるいは溶解してその原形が失われる性質を意味する。従って、アウター部材が水解性であれば、アウター部材を通常の水洗トイレ等に流して廃棄することが可能となる。
【００３６】
アウター部材が水解性を有するためには、アウター部材が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００３７】
アウター部材は生分解性であってもよい。生分解性とは、微生物等の生物によって分解可能であることを意味する。アウター部材が生分解性であれば、アウター部材を水洗トイレに流して廃棄した際、下水処理場等で活性汚泥処理等が施されて、アウター部材が好適に二酸化炭素や汚泥等に分解され得る。
【００３８】
吸収体１２は、着用者から排泄された尿を吸収するものであり、アウター部材２の肌面側に設けられる。男性用失禁パッド１の使用の際、アウター部材２がカップ状に形成されると、図４に示すように、吸収体１２は、カップ状に形成されたアウター部材２の内側に収められることが好ましい。
【００３９】
図１〜図３では、吸収体１２はアウター部材２に固定部６で固定されている。つまり、吸収体１２は、男性用失禁パッド１の使用前からアウター部材２に固定されている。吸収体１２は、接着剤等の固定手段によりアウター部材２に固定されればよい。
【００４０】
固定部６はプリーツ部３以外の場所に設けられることが好ましい。従って、吸収体１２は、アウター部材２のプリーツ部３以外の部分に固定され、プリーツ部３には固定されていないことが好ましい。さらに、吸収体１２は、プリーツ部３を跨いでアウター部材２に固定されていないことが好ましい。このように吸収体１２がアウター部材２に設けられていれば、男性用失禁パッド１の着用の際、プリーツ部３の折り畳みを展開しやすくなる。
【００４１】
固定部６は、プリーツ部３よりも長手方向ｙの内方に設けられることが好ましく、アウター部材２の長手方向ｙの中心付近に設けられることがより好ましい。また、アウター部材２には、固定部６の長手方向ｙの両側にプリーツ部３が各々設けられていることが好ましい。このように男性用失禁パッド１が形成されていれば、アウター部材２のプリーツ部３の折り畳みを展開することにより、男性用失禁パッド１を、吸収体１２が内側に収められたカップ状に形成しやすくなる。
【００４２】
なお、図には示されていないが、吸収体１２は、アウター部材２に固定されていなくてもよい。例えば、男性用失禁パッド１の使用前、すなわち男性用失禁パッド１が被覆シートで覆われた男性用失禁パッド包装体では、吸収体１２はアウター部材２に固定されずに単に重ねられていてもよい。また、吸収体１２がアウター部材２に対して着脱可能に形成されていてもよい。
【００４３】
吸収体１２の形状は特に限定されない。吸収体１２の形状は、例えば、円形、楕円形、多角形（角の丸まった多角形を含む）、砂時計形等が挙げられる。好ましくは、吸収体１２は幅方向ｘに（すなわち、長手方向ｙに延びる中心線に対し）線対称に形成される。さらに、吸収体１２は、長手方向ｙに（すなわち、幅方向ｘに延びる中心線に対し）線対称に形成されることも好ましい。
【００４４】
吸収体１２は、アウター部材２に対し、次のように形成されていることが好ましい。すなわち、吸収体１２は、アウター部材２のプリーツ部３が折り畳まれた状態で、長手方向ｙに対しアウター部材２と同じかそれよりも長く形成され、アウター部材２のプリーツ部３が展開した状態で、長手方向ｙに対しアウター部材２よりも短く形成されていることが好ましい。なお、プリーツ部３が折り畳まれた状態とは、プリーツ部３が複数ある場合は、全てのプリーツ部が折り畳まれた状態を意味し、プリーツ部３が展開した状態とは、全てのプリーツ部が展開した状態を意味する。プリーツ部３が展開した状態でのアウター部材２の長手方向ｙの長さは、プリーツ部３の幅方向ｘの両端の接合を解いた状態で測定する。吸収体１２がアウター部材２に対しこのような関係で形成されていれば、カップ状に形成されたアウター部材２の内側に吸収体１２が好適に保持されやすくなる。また、吸収体１２の大きさが十分確保され、吸収体１２により着用者から排泄された尿が好適に吸収されるようになる。なお、吸収体１２は、幅方向ｘに対しては、アウター部材２と同じかそれよりも短く形成されていることが好ましい。
【００４５】
吸収体１２には、図２に示されるように、長手方向ｙの端縁に切欠き１３が形成されていることが好ましい。より好ましくは、切欠き１３は、吸収体１２の長手方向ｙの両端縁に形成される。吸収体１２の長手方向ｙの端縁に切欠き１３が形成されていれば、吸収体１２をカップ状に形成しやすくなる。すなわち、吸収体１２を幅方向ｘに折り曲げることで、カップ状に形成されたアウター部材２の肌側面に沿うように吸収体１２を形成することが容易となる。そのため、吸収体１２がカップ状に形成されたアウター部材２の内側に好適に収められるようになる。
【００４６】
切欠き１３の形状としては、切欠き１３は略Ｖ字状に形成されていることが好ましい。すなわち、切欠き１３は、吸収体１２の長手方向ｙの端縁から内方に向かって幅方向ｘの長さが漸減するように形成されていることが好ましい。
【００４７】
吸収体１２には、幅方向ｘの端縁に切欠き１４が形成されていることも好ましい。より好ましくは、切欠き１４は、吸収体１２の幅方向ｘの両端縁に形成される。吸収体１２の幅方向ｘの端縁に切欠き１４が形成されていれば、吸収体１２を長手方向ｙに折り曲げやすくなる。従って、吸収体１２の男性器へのフィット性が向上し、男性器が吸収体１２によって好適に覆われるようになる。その結果、着用者から排泄された尿を吸収体１２がより確実に受けることができるようになる。
【００４８】
切欠き１４の形状としては、切欠き１４は略Ｖ字状に形成されていることが好ましい。すなわち、切欠き１４は、吸収体１２の幅方向ｘの端縁から内方に向かって長手方向ｙの長さが漸減するように形成されていることが好ましい。
【００４９】
吸収体は、尿を吸収できる材料から構成されていればよい。吸収体としては、例えば、（ｉ）吸収性材料をシート部材で覆ったもの、（ｉｉ）シート状の吸収性材料を所望形状に形成したもの、等を用いることができる。吸収性材料としては、前記（ｉ）の場合、例えば、粉砕したパルプ繊維、セルロース繊維等の親水性繊維；ポリアクリル酸系、ポリアスパラギン酸系、セルロース系、デンプン・アクリロニトリル系等の吸水性樹脂等を用いることができ、前記（ｉｉ）の場合、例えば、発泡ポリマー；ケミカルボンド不織布、エアレイド不織布、エアスルー不織布、スパンレース不織布等の液保持性の高い不織布等を用いることができる。前記（ｉ）の場合、シート部材の少なくとも一部は液透過性であり、液透過性のシート部材としては、紙（例えば、ティッシュペーパーや薄葉紙）や親水性不織布等を用いることができる。液透過性のシート部材は吸収体の肌面側に設けられ、吸収体の外面側にも設けられてもよい。また、吸収体の外面側には、液不透過性不織布やプラスチックフィルム等の液不透過性のシート部材が設けられてもよい。前記（ｉｉ）の場合も、シート状の吸収性材料がシート部材により覆われてもよい。
【００５０】
吸収体は、不織布間に吸水性樹脂を有しパルプ繊維を有しないシート状吸収体を有していてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００５１】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００５２】
アウター部材２と吸収体１２の間には、中間シート９が設けられている。中間シート９はアウター部材２の長手方向ｙの外方に延在し、アウター部材２の肌面側に設けられた粘着部７に剥離可能に接合されている。詳細には、粘着部７がプリーツ部３よりも長手方向ｙの外方に設けられ、中間シート９が粘着部７よりもさらに長手方向ｙの外方に延在し、アウター部材２よりも長手方向ｙの外方に延在している。
【００５３】
本発明の男性用失禁パッド１は、中間シート９を長手方向ｙに引っ張ることにより、アウター部材２のプリーツ部３よりも長手方向ｙの外方部分が中間シート９とともに長手方向ｙに引っ張られて、プリーツ部３が自然に展開される。その結果、アウター部材２を簡単にカップ状に形成することができる。中間シート９は、長手方向ｙに引っ張ることにより粘着部７から剥離して、男性用失禁パッド１から取り除かれる。中間シート９が剥離した粘着部７は、アウター部材２の肌面側に設けられた吸収体１２に接合することができ、その結果、吸収体１２がカップ状に形成されたアウター部材２の内側に安定して収められ、またアウター部材２をカップ形状に保持しやすくなる。
【００５４】
中間シート９は、男性用失禁パッド１の長手方向ｙの両側に設けられてもよく、一方側のみに設けられてもよい。なお、中間シート９は粘着部７とセットで設けられることが好ましく、粘着部７を長手方向ｙの一方側のみに設ける場合は、中間シート９も長手方向ｙの同じ一方側に設けられることが好ましい。より好ましくは、中間シート９は、男性用失禁パッド１の長手方向ｙの両側に設けられる。なお本発明では、長手方向の一方側に設けられる中間シートを第１中間シートと称し、他方側に設けられる中間シートを第２中間シートと称し、図１および図２では、中間シート９として、長手方向ｙの一方側に第１中間シート９Ａが設けられ、他方側に第２中間シート９Ｂが設けられている。
【００５５】
中間シート９は、長手方向ｙの内方端がアウター部材２側に折り返されて折り返し部１０が形成され、折り返し部１０が粘着部７に剥離可能に接合されることが好ましい。折り返し部１０は、中間シート９の内方端のアウター部材２側に折り返された部分を意味する。中間シート９が折り返し部１０で粘着部７に剥離可能に接合されていれば、中間シート９を粘着部７から剥がしやすくなる。この場合、中間シート９を長手方向ｙに引っ張って粘着部７から剥がす際に、中間シート９と粘着部７との間に剪断力でなく剥離力が働くようになり、中間シート９を粘着部７から剥がしやすくなる。
【００５６】
折り返し部１０を含む中間シート９は、１つのシート部材から形成されていてもよく、２つ以上のシート部材を繋ぎ合わせて形成されていてもよい。例えば中間シート９は、折り返し部１０がそれ以外の部分とは別の部材で構成されていてもよい。もちろん、中間シート９が折り返し部１０を有しない場合であっても、中間シート９は１つのシート部材から形成されていてもよく、２つ以上のシート部材を繋ぎ合わせて形成されていてもよい。
【００５７】
中間シート９は粘着部７と剥離可能であればよく、例えば、プラスチックフィルムから構成されたり、粘着部７と面する側がプラスチックフィルムから構成される積層体から構成されることが好ましい。後者の場合、中間シート９はプラスチックフィルムに紙や布材料（不織布、織布、編布等）等が積層された積層体が挙げられる。また中間シート９は、粘着部７と接合する部分を粘着部７と剥離可能な材料で構成し、その他の部分を紙や布材料（不織布、織布、編布等）等の粘着部７と剥離不能な材料で構成してもよく、粘着部７と接合する部分にシリコーン加工を施したりして粘着部７との剥離性を高めてもよい。
【００５８】
図１〜図３には示されていないが、アウター部材２の外面側には、被覆シートが設けられてもよい。被覆シートは、外側粘着部と剥離可能に接合されるように設けてもよく、外側粘着部に重ならずに（すなわち、外側粘着部に接合されずに）設けてもよい。アウター部材の外面側に被覆シートを設けることにより、例えば、使用前の男性用失禁パッドを被覆シートで包装することができる。このとき、男性用失禁パッドを折り畳んで被覆シートで包装することが好ましい。被覆シートは、中間シートに使用可能な材料で構成すればよい。
【００５９】
被覆シートは、男性用失禁パッドの全体を覆うように設けてもよく、男性用失禁パッドの一部のみを覆うように設けてもよい。また、男性用失禁パッドの長手方向の一方側と他方側のそれぞれに、または一方側または他方側のみに被覆シートを設けてもよい。なお本発明において、男性用失禁パッドの長手方向の一方側および／または他方側に被覆シートが設けられる場合、長手方向に対して第１中間シートと同じ側（一方側）に設けられる被覆シートを第１被覆シートと称し、第２中間シートと同じ側（他方側）に設けられる被覆シートを第２被覆シートと称する。
【００６０】
本発明の男性用失禁パッドは、使用前に折り畳んでおくことが好ましい。図５には、図１および図２に示した男性用失禁パッドについて、長手方向に延びる第１折り目で折り返して幅方向に２つ折りに折り畳む方法を示した。
【００６１】
図５（ａ）は、折り畳む前の男性用失禁パッド１を肌面側から見た図を表し、図５（ｂ）は、図５（ａ）に示した男性用失禁パッド１を、肌面側が内側となるように長手方向ｙに延びる第１折り目２１で折り返して２つ折りに折り畳んだ状態を表す。このように男性用失禁パッド１を肌面側が内側になるように第１折り目２１で折り返せば、中間シート９を長手方向ｙに引っ張ることにより、プリーツ部３が展開して男性用失禁パッド１を肌面側を内側にしたカップ形状に形成しやすくなる。
【００６２】
図６には、図５（ｂ）に示した２つ折りに折り畳んだ男性用失禁パッド１について、プリーツ部３を展開する方法について示した。２つ折りに折り畳んだ男性用失禁パッド１は、図６（ａ）に示すように中間シート９の長手方向ｙの端部を掴んで長手方向ｙに引っ張ることで、図６（ｂ）に示すようにプリーツ部３を簡単に展開することができる。このとき、男性用失禁パッド１が長手方向ｙに延びる第１折り目２１で折り返されているため、プリーツ部３を展開すれば男性用失禁パッド１がスムーズにカップ状に形成されるようになる。
【００６３】
第１折り目２１は、男性用失禁パッド１の幅方向ｘの中心線（長手方向ｙに延びる中心線）と一致することが好ましい。このように第１折り目２１が設けられていれば、プリーツ部３を展開しやすくなる。また、男性用失禁パッド１を使用する際は、第１折り目２１に基づいて男性用失禁パッド１の幅方向ｘの中心を容易に認識することができ、男性用失禁パッド１を適切に装着しやすくなる。
【００６４】
第１折り目２１で折り返された吸収体１２は、長手方向ｙの端縁近傍が第１折り目２１の両側で接合されていることが好ましい。図５（ａ）では、吸収体１２の長手方向ｙの端縁近傍に接合部１５が設けられ、図５（ｂ）に示すように第１折り目２１で折り返されることにより、吸収体１２の長手方向ｙの端縁近傍が接合部１５で第１折り目２１の両側で接合される。このように吸収体１２が形成されていれば、男性用失禁パッド１の第１折り目２１を展開した際、吸収体１２がカップ状（船底状）に形成されて、吸収体１２の男性器へのフィット性を高めやすくなる。
【００６５】
吸収体１２の長手方向ｙの端縁近傍が第１折り目２１の両側で接合される場合、吸収体１２は肌面側で互いに接合される。また、長手方向ｙの端縁から２０ｍｍ以内の領域（好ましくは１５ｍｍ以内の領域）で吸収体１２どうしが接合されることが好ましい。さらに、第１折り目２１から１５ｍｍ以内の領域（好ましくは１０ｍｍ以内の領域）で吸収体１２どうしが接合されることが好ましい。吸収体１２どうしの接合は、接着剤や熱融着等の接合手段により行えばよい。
【００６６】
吸収体１２の長手方向ｙの端縁に切欠き１３が形成される場合は、第１折り目２１を跨いで切欠き１３が形成されることが好ましい。第１折り目２１を跨いで切欠き１３が形成されていれば、第１折り目２１を利用して吸収体１２をカップ状に形成しやすくなり、吸収体１２の男性器へのフィット性を高めることができる。
【００６７】
男性用失禁パッド１は、第１折り目２１で折り返された中間シート９どうしが互いに接合されていることが好ましい。図５（ｂ）では、第１折り目２１で折り返された中間シート９どうしが、長手方向ｙの端部でシール部１１で互いに接合されており、このように中間シート９どうしは長手方向ｙの端部で互いに接合されることが好ましい。第１折り目２１で折り返された中間シート９どうしが互いに接合されていれば、男性用失禁パッド１の使用前、男性用失禁パッド１が２つ折りされた状態が維持されやすくなるとともに、中間シート９を長手方向ｙに引っ張ることにより、男性用失禁パッド１をカップ形状に形成しやすくなる。中間シート９どうしの接合は、接着剤、熱融着、超音波融着等の公知の接合手段により行えばよい。なお、図面には示されていないが、第１折り目２１で折り返されることにより重ねられた中間シート９は、幅方向ｘの端部どうしも互いに接合されていてもよい。
【００６８】
図７には、図１および図２に示した男性用失禁パッドについて、長手方向に延びる第１折り目で折り返して、さらに幅方向に延びる第２折り目で折り返して、４つ折りに折り畳む方法を示した。なお下記の説明において、第１折り目およびそれに関連する男性用失禁パッドの構成に関する説明は、上記と重複するため説明を省略する。
【００６９】
図７（ａ）は、折り畳む前の男性用失禁パッド１を肌面側から見た図を表し、図７（ｂ）は、図７（ａ）に示した男性用失禁パッド１を、肌面側が内側となるように長手方向ｙに延びる第１折り目２１で折り返した状態を表し、図７（ｃ）は、さらに幅方向ｘに延びる第２折り目２２で折り返して４つ折りに折り畳んだ状態を表す。
【００７０】
図７に示すように男性用失禁パッド１を４つ折りに折り畳む実施態様は、第２折り目２２の両側にプリーツ部３が設けられた男性用失禁パッド１において特に有効である。この場合、中間シートとして第２折り目の２２一方側に第１中間シート９Ａを設け、他方側に第２中間シート９Ｂを設けることが好ましく、男性用失禁パッド１を第２折り目２２で折り返すことにより、第１中間シート９Ａと第２中間シート９Ｂを同時に掴むことができるようになり、第２折り目２２の両側のプリーツ部３を同時に展開することが簡単にできるようになる。
【００７１】
図８には、図７（ｃ）に示した４つ折りに折り畳んだ男性用失禁パッド１について、プリーツ部３を展開する方法について示した。４つ折りに折り畳んだ男性用失禁パッド１は、図８（ａ）に示すように、一方の手で第１中間シート９Ａと第２中間シート９Ｂを掴んで、他方の手で第２折り目２２の近傍を掴んで、４つ折りされた状態の男性用失禁パッド１を長手方向ｙに引っ張ることで、図８（ｂ）に示すように、第２折り目２２の両側に設けられたプリーツ部３を同時に展開することができる。そして、これをさらに第２折り目２２と第１折り目２１で展開することにより、男性用失禁パッド１を容易にカップ状に形成することができる。
【００７２】
第２折り目２２は、男性用失禁パッド１の長手方向ｙの中心線（幅方向ｘに延びる中心線）と一致することが好ましい。このように第２折り目２２が設けられていれば、折り畳んだ男性用失禁パッド１がコンパクトになる。また、男性用失禁パッド１の長手方向ｙの一方側と他方側の端部の両方を一体に扱いやすくなる。
【００７３】
男性用失禁パッド１は、第１折り目２１と第２折り目２２で折り返された状態で、第１中間シート９Ａと第２中間シート９Ｂが互いに接合されていることが好ましい。図７（ｃ）では、第１中間シート９Ａと第２中間シート９Ｂが、長手方向ｙの端部でシール部１１で互いに接合されており、このように第１中間シート９Ａと第２中間シート９Ｂは長手方向ｙの端部で互いに接合されることが好ましい。第１中間シート９Ａと第２中間シート９Ｂが互いに接合されていれば、男性用失禁パッド１の使用前、男性用失禁パッド１が４つ折りされた状態が維持されやすくなるとともに、第１中間シート９Ａと第２中間シート９Ｂを長手方向ｙに引っ張る際に一体的に扱うことができる。なお、図面には示されていないが、第１中間シート９Ａと第２中間シート９Ｂは幅方向ｘの端部どうしも互いに接合されていてもよく、これにより第１中間シート９Ａと第２中間シート９Ｂが一体的に成形されて男性用失禁パッド１の取り扱い性が向上する。
【００７４】
図９および図１０には、アウター部材の外面側に被覆シートを設けて、男性用失禁パッドを２つ折りおよび４つ折りに折り畳んだ例を示した。図９および図１０に示した男性用失禁パッド１では、アウター部材２の外面側にアウター部材２の全体を覆うように被覆シート１６を設け、図９では男性用失禁パッド１が２つ折りに折り畳まれ、図１０では男性用失禁パッド１が４つ折りに折り畳まれている。なお下記の説明において、上記と重複する部分の説明は省略する。
【００７５】
図９（ａ）は、折り畳む前の男性用失禁パッド１を肌面側から見た図を表し、図９（ｂ）は、図９（ａ）に示した男性用失禁パッド１を、肌面側が内側となるように長手方向ｙに延びる第１折り目２１で折り返して２つ折りに折り畳んだ状態を表す。図１０（ａ）は、折り畳む前の男性用失禁パッド１を肌面側から見た図を表し、図１０（ｂ）は、図１０（ａ）に示した男性用失禁パッド１を、肌面側が内側となるように長手方向ｙに延びる第１折り目２１で折り返した状態を表し、図１０（ｃ）は、さらに幅方向ｘに延びる第２折り目２２で折り返して４つ折りに折り畳んだ状態を表す。
【００７６】
図９および図１０に示した男性用失禁パッド１は、アウター部材２と吸収体１２の間に、長手方向ｙの一方側に第１中間シート９Ａが設けられ、他方側に第２中間シート９Ｂが設けられ、さらにアウター部材２の外面側にアウター部材２の全体を覆うように被覆シート１６が設けられている。被覆シート１６を設けて男性用失禁パッド１を折り畳むことにより、男性用失禁パッド１を被覆シート１６で包装することができ、持ち運びが容易になる。
【００７７】
図９および図１０では、第１中間シート９Ａと第２中間シート９Ｂが被覆シート１６よりも幅方向ｘに短く形成されているが、第１中間シート９Ａと第２中間シート９Ｂの幅方向ｘの長さと、被覆シート１６と幅方向ｘの長さの関係は、これに限定されない。なお、被覆シート１６により男性用失禁パッド１を包装する際の見栄えを良くするために、第１中間シート９Ａと第２中間シート９Ｂの幅方向ｘの長さは、被覆シート１６の幅方向ｘの長さと同じかそれより短いことが好ましい。
【００７８】
図９および図１０に示すように、被覆シート１６が第１中間シート９Ａと第２中間シート９Ｂに重なって設けられる場合、被覆シート１６は第１中間シート９Ａと第２中間シート９Ｂに接合されることが好ましい。図９（ｂ）と図１０（ｃ）では、被覆シート１６が第１中間シート９Ａと第２中間シート９Ｂに長手方向ｙの端部でシール部１８で接合されている。なお、図面には示されていないが、被覆シート１６は、第１折り目２１で折り返された幅方向ｘの端部どうしも互いに接合されてもよい。
【００７９】
被覆シート１６が第１中間シート９Ａと第２中間シート９Ｂに重なって設けられる場合は、男性用失禁パッド１が折り畳まれた状態（すなわち、図９（ｂ）のように男性用失禁パッド１が第１折り目２１で折り返された状態、または、図１０（ｃ）のように男性用失禁パッド１が第１折り目２１と第２折り目２２で折り返された状態）で、被覆シート１６が長手方向ｙに分離可能に形成されていることが好ましい。図９および図１０では、被覆シート１６に切断可能線１７が形成され、これにより被覆シート１６が長手方向ｙに分離可能に形成されている。このように男性用失禁パッド１が形成されていれば、被覆シート１６を長手方向ｙの外方に引っ張ることで、被覆シート１６が長手方向ｙに分離するとともに、被覆シート１６に引っ張られて第１中間シート９Ａと第２中間シート９Ｂも長手方向ｙの外方に引っ張られるようになる。その結果、プリーツ部３が展開され、被覆シート１６が第１中間シート９Ａと第２中間シート９Ｂとともに男性用失禁パッド１から分離される。
【００８０】
切断可能線１７は、例えば、被覆シート１６にミシン目を設けたり、被覆シート１６（熱可塑性のプラスチックフィルム製や熱可塑性繊維から構成される布製の被覆シートであることが好ましい）を部分的に加熱して脆弱化した部分を線状に設けたり、２以上の被覆シート１６を断続線状に互いに接着することにより形成することができる。
【００８１】
切断可能線１７は、男性用失禁パッド１が折り畳まれた状態で、被覆シート１６が長手方向ｙに分離可能に形成されていればよく、切断可能線１７の配され方は特に限定されない。図９に示すように男性用失禁パッド１を２つ折りに折り畳む場合は、被覆シート１６を幅方向ｘの一方側の端縁から他方側の端縁にかけて横切るように、少なくとも１本の切断可能線１７を設けることが好ましい。図１０に示すように男性用失禁パッド１を４つ折りに折り畳む場合は、第２折り目２２の両側に、被覆シート１６を幅方向ｘの一方側の端縁から他方側の端縁にかけて横切るように、切断可能線１７を設けることが好ましい。
【００８２】
図１０に示すように男性用失禁パッド１が第１折り目２１と第２折り目２２で折り返される場合は、男性用失禁パッド１は、第２折り目２２で折り返された被覆シート１６どうしが互いに接合されていることが好ましい。図１０（ｃ）では、第２折り目２２で折り返された被覆シート１６どうしが、長手方向ｙの端部でシール部１８で互いに接合されている。第２折り目２２で折り返された被覆シート１６が互いに接合されていれば、男性用失禁パッド１の使用前、男性用失禁パッド１が４つ折りされた状態が維持されやすくなるとともに、被覆シート１６を長手方向ｙに引っ張る際に、被覆シート１６の長手方向ｙの両方の端部を一体的に扱うことができる。
【００８３】
アウター部材２の外面側に被覆シート１６が設けられる場合、被覆シート１６は、アウター部材２の外面側に設けられた外側粘着部８に剥離可能に接合していてもよい。この場合、外側粘着部８はプリーツ部３よりも長手方向ｙの外方に設けられることが好ましく、これにより、被覆シート１６を長手方向ｙの外方に引っ張ることで、プリーツ３を展開しやすくなる。
【００８４】
図９と図１０では、外側粘着部８が長手方向ｙの両側に設けられているが、外側粘着部８は長手方向ｙの一方側のみに設けられるものでもよい。また、外側粘着部８は設けられなくてもよい。好ましくは、外側粘着部８は、アウター部材２の長手方向ｙの一方側のみに設けられる。このように外側粘着部８を設けることにより、男性用失禁パッド１がずれずにパンツの内側に取り付けやすくなる。なお図９および図１０では、中間シート９をアウター部材２に接合する粘着部７の表示が省略されている。
【００８５】
上記の説明では、アウター部材２の外面側に被覆シート１６を設けて、男性用失禁パッド１を２つ折りまたは４つ折りに折り畳んだ態様について説明したが、男性用失禁パッド１は折り畳まずに、アウター部材２の外面側に単に被覆シート１６が設けられるものであってもよい。
【００８６】
図１１および図１２には、アウター部材の外面側に被覆シートを設けて、男性用失禁パッドを２つ折りおよび４つ折りに折り畳んだ他の例を示した。図１１および図１２に示した男性用失禁パッド１では、被覆シートとして長手方向ｙの一方側に第１被覆シート１６Ａを設け、他方側に第２被覆シート１６Ｂを設け、図１１では男性用失禁パッドが２つ折りに折り畳まれ、図１２では男性用失禁パッドが４つ折りに折り畳まれている。なお下記の説明において、上記と重複する部分の説明は省略する。
【００８７】
図１１（ａ）は、折り畳む前の男性用失禁パッド１を肌面側から見た図を表し、図１１（ｂ）は、図１１（ａ）に示した男性用失禁パッド１を、肌面側が内側となるように長手方向ｙに延びる第１折り目２１で折り返して２つ折りに折り畳んだ状態を表す。図１２（ａ）は、折り畳む前の男性用失禁パッド１を肌面側から見た図を表し、図１２（ｂ）は、図１２（ａ）に示した男性用失禁パッド１を、肌面側が内側となるように長手方向ｙに延びる第１折り目２１で折り返した状態を表し、図１２（ｃ）は、さらに幅方向ｘに延びる第２折り目２２で折り返して４つ折りに折り畳んだ状態を表す。
【００８８】
図１１および図１２に示した男性用失禁パッド１は、アウター部材２と吸収体１２の間に、長手方向ｙの一方側に第１中間シート９Ａが設けられ、他方側に第２中間シート９Ｂが設けられ、さらにアウター部材２の外面側に、長手方向ｙの一方側に第１被覆シート１６Ａが設けられ、他方側に第２被覆シート１６Ｂが設けられている。そして、第１被覆シート１６Ａが第１中間シート９Ａに接合され、第２被覆シート１６Ｂが第２中間シート９Ｂに接合されている。図１１（ｂ）と図１２（ｃ）では、第１被覆シート１６Ａが第１中間シート９Ａと長手方向ｙの端部でシール部１８で接合され、第２被覆シート１６Ｂが第２中間シート９Ｂと長手方向ｙの端部でシール部１８で接合されている。さらに、第１被覆シート１６Ａと第２被覆シート１６Ｂは、第１折り目２１で折り返された幅方向ｘの端部どうしがシール部１８で互いに接合されている。
【００８９】
図１１（ｂ）および図１２（ｃ）に示した男性用失禁パッド１では、２つ折りまたは４つ折りで折り畳まれた状態で、アウター部材２が露出する部分が形成される。そのため、男性用失禁パッド１から被覆シート１６や中間シート９を取り外す際、アウター部材２を直接手で掴むことができ、男性用失禁パッド１を誤って手から落とすことが起こりにくくなる。特に、図１２（ｃ）に示すように男性用失禁パッド１が４つ折りに折り畳まれる場合は、第２折り目２２が第１被覆シート１６Ａや第２被覆シート１６Ｂで覆われずに露出していることが好ましい。すなわち、第１被覆シート１６Ａが第２折り目２２の一方側に設けられ、第２被覆シート１６Ｂが第２折り目２２の他方側に設けられ、第１被覆シート１６Ａと第２被覆シート１６Ｂが第２折り目２２を超えて延在しないことが好ましい。その結果、第２折り目２２の内側に指をかけるようにして男性用失禁パッド１を一方の手で掴むことにより、被覆シート１６と中間シート９を長手方向ｙに引っ張って、男性用失禁パッド１から被覆シート１６と中間シート９を簡単に取り除くことができる。
【００９０】
図１２に示すように男性用失禁パッド１が第１折り目２１と第２折り目２２で折り返される場合は、男性用失禁パッド１は、第２折り目２２で折り返されることにより対向した第１被覆シート１６Ａと第２被覆シート１６Ｂが互いに接合されていることが好ましい。図１２（ｃ）では、第１被覆シート１６Ａと第２被覆シート１６Ｂが、長手方向ｙの端部と幅方向ｘの端部でシール部１８で互いに接合されている。
【００９１】
図１１および図１２では、アウター部材２の外面側の長手方向ｙの両側に外側粘着部８が設けられ、第１被覆シート１６Ａと第２被覆シート１６Ｂの両方が外側粘着部８に剥離可能に接合している。なお、外側粘着部８は長手方向ｙの一方側のみに設けられるものでもよく、この場合、第１被覆シート１６Ａと第２被覆シート１６Ｂは一方のみが外側粘着部８に剥離可能に接合することとなる。また、外側粘着部８は設けられなくてもよい。図１１および図１２においても、中間シート９をアウター部材２に接合する粘着部７の表示が省略されている。
【００９２】
上記の説明では、アウター部材２の外面側に第１被覆シート１６Ａと第２被覆シート１６Ｂを設けて、男性用失禁パッド１を２つ折りまたは４つ折りに折り畳んだ態様について説明したが、男性用失禁パッド１は折り畳まずに、アウター部材２の外面側に単に第１被覆シート１６Ａと第２被覆シート１６Ｂが設けられるものであってもよい。
【００９３】
図１３には、４つ折りに折り畳んだ男性用失禁パッドのさらに他の例を示した。図１３に示した男性用失禁パッド１では、第２折り目２２の一方側に第１中間シート９Ａを設け、第２折り目２２の他方側に第２被覆シート１６Ｂを設け、男性用失禁パッド１が第１折り目２１と第２折り目２２で４つ折りに折り畳まれている。なお下記の説明において、上記と重複する部分の説明は省略する。
【００９４】
図１３（ａ）は、折り畳む前の男性用失禁パッド１を肌面側から見た図を表し、図１３（ｂ）は、図１３（ａ）に示した男性用失禁パッド１を、肌面側が内側となるように長手方向ｙに延びる第１折り目２１で折り返した状態を表し、図１３（ｃ）は、さらに幅方向ｘに延びる第２折り目２２で折り返して４つ折りに折り畳んだ状態を表す。
【００９５】
図１３に示すように、中間シート９と被覆シート１６は男性用失禁パッド１の長手方向ｙの一方側のみ設けられるものであってもよい。ただしこの場合、中間シート９と被覆シート１６を長手方向ｙに引っ張ることにより長手方向ｙの両側に設けられたプリーツ部３が展開されるようにするために、男性用失禁パッド１の長手方向ｙの一方側に第１中間シート９Ａを設け、他方側に第２被覆シート１６Ｂを設けるようにすることが好ましい。そして、男性用失禁パッド１を第１折り目２１と第２折り目２２で折り返した状態で、第１中間シート９Ａと第２被覆シート１６Ｂを互いに接合することが好ましく、これにより、長手方向ｙの両側のプリーツ部３を簡単に展開できるようになる。図１３（ｃ）では、第１中間シート９Ａと第２被覆シート１６Ｂが長手方向ｙの端部と幅方向ｘの端部でシール部１９で互いに接合されている。
【００９６】
また、図面には示されていないが、第２折り目２２の他方側に第２中間シート９Ｂをさらに設けて、第２被覆シート１６Ｂを第２中間シート９Ｂに接合することも好ましい。この場合、アウター部材２の内面側の長手方向ｙの両側に粘着部７を設けることができ、男性用失禁パッド１の使用の際、アウター部材２の粘着部７に吸収体１２を接合することで、アウター部材２がカップ形状を保持しやすくなる。また、アウター部材２の外面側には、長手方向ｙの一方側のみに外側粘着部８を設けることにより、男性用失禁パッド１がずれずにパンツの内側に取り付けやすくなる。
【００９７】
上記に説明したいずれの実施態様においても、中間シート９および／または被覆シート１６には目印が表示されていることが好ましい。目印は、中間シート９および／または被覆シート１６を長手方向ｙに引っ張る際に使用者が掴む部分に設けられることが好ましく、例えば、中間シート９および／または被覆シート１６の長手方向ｙの端縁近傍に設けられる。目印は、例えば、中間シート９および／または被覆シート１６の目印以外の部分と異なる色で示される。あるいは、目印となる部分の手触りを他の部分と変える等して、目印を設けてもよい。
【符号の説明】
【００９８】
１：男性用失禁パッド
２：アウター部材
３：プリーツ部
４：山折り
５：谷折り
７：粘着部
９：中間シート、９Ａ：第１中間シート、９Ｂ：第２中間シート
１０：折り返し部
１２：吸収体
１３，１４：切欠き
１６：被覆シート、１６Ａ：第１被覆シート、１６Ｂ：第２被覆シート
１７：切断可能線
【図１】
2014090857.tif 000003
【図２】
2014090857.tif 000004
【図３】
2014090857.tif 000005
【図４】
2014090857.tif 000006
【図５】
2014090857.tif 000007
【図６】
2014090857.tif 000008
【図７】
2014090857.tif 000009
【図８】
2014090857.tif 000010
【図９】
2014090857.tif 000011
【図１０】
2014090857.tif 000012
【図１１】
2014090857.tif 000013
【図１２】
2014090857.tif 000014
【図１３】
2014090857.tif 000015